(57)【要約】 【課題】  平行リンクが露出せず、埃等の汚れの除去が容易な昇降装置を提供する。【解決手段】  昇降装置は、収納ケースと、収納ケースに収納され、前後に配置された第１の昇降棚２０及び第２の昇降棚２１とから構成される。第１の昇降棚２０及び第２の昇降棚２１は、平行リンク３５ａに回動自在に軸支される。又、平行リンク３５ａは、収納ケース１０に前支持リンク軸４４及び後支持リンク軸４５により回動自在に軸支される。そして、昇降装置１は、平行リンク３５ａを一体的に覆うリンクカバー４９ａを備えている。この平行リンク３５ａは、リンクカバー４９ａにより収納ケース１０への取付け部を除いて一体的に覆われる。したがって、収納ケース１０から引出された時に平行リンク３５ａが露出しないため、平行リンク３５ａの外観がすっきりし、昇降装置１の見栄えが良くなる。又、埃等の除去が容易となる。【選択図】  図２
2013141489.tif 000002
【特許請求の範囲】
【請求項１】
収納ケースに収納された昇降棚を、１対の平行リンクを介して前記収納ケースの前下方に引き出し自在に移動することができる昇降装置であって、
前記平行リンクの各々を構成する前支持リンク及び後支持リンクと、
前記前支持リンク及び前記後支持リンクを、前記収納ケースへの取付部を除いて一体的に覆うリンクカバーとを備えた、昇降装置。
【請求項２】
前記平行リンクが取付けられる前記昇降棚の側壁には、前記前支持リンク及び前記後支持リンクの各々の回動軸が取付けられる部分に円柱状の突起体が形成され、
前記リンクカバーは、
前記突起体の側面に摺動自在に嵌合し得る開口を有し、前記昇降棚の前記側壁と前記前支持リンク及び前記後支持リンクとの間に配置される裏カバー体と、
前記前支持リンク及び前記後支持リンクを一体的に覆う大きさを有し、前記裏カバー体に脱着自在に嵌合する表カバー体とを含む、請求項１記載の昇降装置。
【請求項３】
前記突起体の外方端部には、対向位置に配置され外方に延びる一対の爪片が形成され、
前記裏カバー体の前記開口は前記爪片の各々が挿通できる形状の一対の切欠が形成されると共に、前記裏カバー体の前記壁面側の厚さは前記爪片の厚さを除いた前記突起体の厚さ未満に設定され、
前記爪片と前記切欠とは、前記平行リンクの移動範囲において重ならない位置に配置される、請求項２記載の昇降装置。
【請求項４】
前記昇降棚は、前記収納ケースにおいて前後に収納される第１の昇降棚と第２の昇降棚とから構成され、
前記第１の昇降棚及び前記第２の昇降棚は、前記収納ケースに軸支された前記平行リンクの各々を介して連結される、請求項１から請求項３のいずれかに記載の昇降装置。
【発明の詳細な説明】
【技術分野】
【０００１】
この発明は昇降装置に関し、特にキッチンの吊戸棚の下面などに取付けられる昇降装置に関するものである。
【背景技術】
【０００２】
調味料等を収納する、又は調理時に皿等を一時的に載せる仮置き棚として使用するために、キッチンの吊戸棚の下面に取付ける種々の昇降装置や扉付収納装置が提案されている。これらの装置によりキッチンスペースが有効に活用される。
【０００３】
従来、この種の昇降装置としては、例えば、吊戸棚下面への取り付け部材と、開状態において仮置き棚として機能を発揮する二段の棚板と、取り付け部材に対し棚板を回動自在に接続し、取り付け部材の幅方向の両端にある一対の平行リンクとを備えたものがある。この一対の平行リンクにより棚板の各々は、水平状態を保ちながら昇降自在となる。
【０００４】
使用に際しては、この平行リンクを使い後述する閉状態にある棚板を下方に引き出し、開状態とする。このため棚板は使用者にとって適度な高さに配置される。
【０００５】
逆に昇降装置は、棚板の下面に形成された溝状の手掛部を掴んで上方に押し上げると、リンクが回動して棚板が水平状態のまま上昇して閉状態となる。
【０００６】
このような閉状態の昇降装置にあっては、リンクは吊戸棚下面近傍で折畳まれるため、不使用時（閉状態）においてはコンパクトに収納することができる。
【発明の概要】
【発明が解決しようとする課題】
【０００７】
上記のような従来の昇降装置等では、その両端に設けられた一対の平行リンクが複雑な構造を有するため、外観が煩雑となり、昇降装置全体の見栄えが悪くなっていた。
【０００８】
又、平行リンクが複雑な構造を有するため、そこに付着した埃等の汚れの除去が困難で掃除が手間となっていた。
【０００９】
この発明は、上記のような課題を解決するためになされたもので、平行リンクが露出せず、埃等の汚れの除去が容易な昇降装置を提供することを目的とする。
【課題を解決するための手段】
【００１０】
上記の目的を達成するために、請求項１記載の発明は、収納ケースに収納された昇降棚を、１対の平行リンクを介して収納ケースの前下方に引き出し自在に移動することができる昇降装置であって、平行リンクの各々を構成する前支持リンク及び後支持リンクと、前支持リンク及び後支持リンクを、収納ケースへの取付け部を除いて一体的に覆うリンクカバーとを備えたものである。
【００１１】
このように構成すると、収納ケースから引出された前支持リンク及び後支持リンクが露出しない。
【００１２】
請求項２記載の発明は、請求項１記載の発明の構成において、平行リンクが取付けられる昇降棚の側壁には、前支持リンク及び後支持リンクの各々の回動軸が取付けられる部分に円柱状の突起体が形成され、リンクカバーは、突起体の側面に摺動自在に嵌合し得る開口を有し、昇降棚の側壁と前支持リンク及び後支持リンクとの間に配置される裏カバー体と、前支持リンク及び後支持リンクを一体的に覆う大きさを有し、裏カバー体に脱着自在に嵌合する表カバー体とを含むものである。
【００１３】
このように構成すると、裏カバー体は突起体の側面に沿って回動する。
【００１４】
請求項３記載の発明は、請求項２記載の発明の構成において、突起体の外方端部には、対向位置に配置され外方に延びる一対の爪片が形成され、裏カバー体の開口は爪片の各々が挿通できる形状の一対の切欠が形成されると共に、裏カバー体の壁面側の厚さは爪片の厚さを除いた突起体の厚さ未満に設定され、爪片と切欠とは、平行リンクの移動範囲において重ならない位置に配置されるものである。
【００１５】
このように構成すると、裏カバー体は、使用時において側壁の突起体と抜け止め状態となる。
【００１６】
請求項４記載の発明は、請求項１から請求項３のいずれかに記載の発明の構成において、昇降棚は、収納ケースにおいて前後に収納される第１の昇降棚と第２の昇降棚とから構成され、第１の昇降棚及び第２の昇降棚は、収納ケースに軸支された平行リンクの各々を介して連結されるものである。
【００１７】
このように構成すると、引出し時には第２の昇降棚も下方に移動する。
【発明の効果】
【００１８】
以上説明したように、請求項１記載の発明は、収納ケースから引出された前支持リンク及び後支持リンクが露出しないため、平行リンクの外観がすっきりし、埃等の除去が容易となる。
【００１９】
請求項２記載の発明は、請求項１記載の発明の効果に加えて、裏カバー体は突起体の側面に沿って回動するため、平行リンクの移動に応じて、リンクカバーはスムーズに追随する。
【００２０】
請求項３記載の発明は、請求項２記載の発明の効果に加えて、裏カバー体は、使用時において側壁の突起体と抜け止め状態となるため、裏カバー体が不用意に外れないので取り付け状態の信頼性が向上する。
【００２１】
請求項４記載の発明は、請求項１から請求項３のいずれかに記載の発明の効果に加えて、引出し時には第２の昇降棚も下方に移動するため、使い勝手が向上する。
【図面の簡単な説明】
【００２２】
【図１】この発明の第１の実施の形態による収納装置の外観形状を示す概略斜視図であって、（１）は閉状態を示す図であって、（２）は開状態を示す図である。
【図２】図１で示したＩＩ−ＩＩラインの一部破断の拡大断面図である。
【図３】図１で示したＩＩＩ−ＩＩＩラインの拡大断面図である。
【図４】図２で示したＩＶ−ＩＶラインの拡大断面図である。
【図５】図２で示したＶ−Ｖラインの拡大断面図である。
【図６】図１の（１）で示した昇降棚が中間的に開いた昇降装置の外観形状を示す一部破断の概略断面図であって、図２に対応するものである。
【図７】図１の（２）で示した開状態の昇降装置の外観形状を示す一部破断の概略断面図であって、図２に対応するものである。
【図８】図１に示す収納ケースのサイドカバーを外した昇降装置の外観形状を示す図であり、（１）は図１の（１）のＶＩＩＩ−ＶＩＩＩラインの位置における右側面図であり、（２）は図１の（２）のＶＩＩＩ−ＶＩＩＩラインの位置における右側面図である。
【図９】図１の（１）に示す収納ケースのサイドカバーを外した昇降装置の外観形状を示す図であり、ＩＸ−ＩＸラインの位置における左側面図である。
【図１０】図４等に示されている裏カバー体を第１の昇降棚に設けられた突起体に取付ける方法を模式的に示す概略工程図である。
【図１１】図１０で示したＸＩ−ＸＩラインの拡大断面図である。
【図１２】図４等に示されている裏カバー体が取付けられた昇降棚に、更に前支持リンク、後支持リンク及び表カバー体を取付ける方法を模式的に示す概略工程図であって、図１０の（３）に続く後工程を示すものである。
【発明を実施するための形態】
【００２３】
図１はこの発明の第１の実施の形態による昇降装置の外観形状を示す概略斜視図であって、（１）は閉状態を示すものであり、（２）は開状態を示すものであり、図２は図１で示したＩＩ−ＩＩラインの一部破断の拡大断面図であり、図３は図１で示したＩＩＩ−ＩＩＩラインの拡大断面図であり、図４は図２におけるＩＶ−ＩＶラインの拡大断面図であり、図５は図２におけるＶ−Ｖラインの拡大断面図である。
【００２４】
これらの図を参照して、昇降装置１は、主に、吊戸棚９０等の下面に設置された収納ケース１０と、収納ケース１０に収納され、前後に配置された第１の昇降棚２０及び第２の昇降棚２１とから構成される。
【００２５】
使用時には、図１の（２）に示されているように第１の昇降棚２０を引き降ろすと平行状態で移動し、これに連動して第２の昇降棚２１も平行状態で下方に移動する。
【００２６】
尚、昇降装置１は、図１の（１）に示す、ダンパー６０に関する部品を除いては幅方向において左右対称の形状及び部品を有している。そこで、以降では、平行リンク３５ａと収納ケース１０との接続箇所や、平行リンク３５ａと第１の昇降棚２０及び第２の昇降棚２１の接続箇所等については、主に昇降装置１の右側部分（ダンパーが無い側の部分）を中心に説明する。
【００２７】
又、開状態における昇降装置１の状態については後述するため、以降ではまず閉状態における昇降装置１について説明する。
【００２８】
収納ケース１０は、上面の一部と背面とを塞ぐバックパネル１１と、バックパネル１１の幅方向においてその両端に接続されるサイドパネル１２ａ、１２ｂと、サイドパネル１２ａ、１２ｂの外方に位置するサイドカバー１３ａ、１３ｂと、サイドパネル１２ａ、１２ｂ同士及びサイドカバー１３ａ、１３ｂ同士を接続し、バックパネル１１に対向するフロントパネル１４とを備え、上面の一部及び下面の全てが開放された箱型形状を有している。このバックパネル１１及びサイドパネル１２ａ、１２ｂの上面を介して、ボルト等を用い吊戸棚９０に昇降装置１を取付けする。
【００２９】
第１の昇降棚２０は、底面と背面とを塞ぐ断面Ｌ字形状の底板２２と、底板２２の幅方向の両端部に接続された側壁２３ａ、２３ｂとを備え、収納物の落下を防止するため、フロントパネル１４側に側壁２３ａ、２３ｂを架け渡すように支持棒２４が設けられている。尚、第２の昇降棚２１も第１の昇降棚２０と同様の構造を有している。
【００３０】
このように、昇降装置１に第１の昇降棚２０及び第２の昇降棚２１を設けることは、引出し時には、第１の昇降棚２０及び第２の昇降棚２１が下方に移動して広い収納スペースが確保できると共に、収納時には収納ケース１０内に収納されるため、使い勝手が良い。
【００３１】
又、収納ケース１０には、平行リンク３５ａが接続されており、下降時において平行リンク３５ａはフロントパネル１４側に位置する前支持リンク３６ａとその後方に位置する後支持リンク３７ａとからなる。この平行リンク３５ａの接続は、収納ケース１０に対して、前支持リンク３６ａがその後方の一方端近傍において前支持リンク軸４４を介して回動自在に軸支され、後支持リンク３７ａがその後方の一方端において後支持リンク軸４５を介して回動自在に軸支されることによりなる。一方、前支持リンク３６ａの他方端と後支持リンク３７ａの他方端とにおいて、第１の回動軸３９ａ、３９ｂを介して第１の昇降棚２０が回動自在に軸支される。又、収納ケース１０及び第１の昇降棚２０の各々への接続箇所の中間において、第２の回動軸４０ａ、４０ｂを介して第２の昇降棚２１が回動自在に軸支される。
【００３２】
尚、左右一対の前支持リンク３６ａ、３６ｂ同士は、バックパネル１１側の端部において、第１の昇降棚２０及び第２の昇降棚２１の幅方向に延びる枢軸棒１６により連結される。このように一対の前支持リンク３６ａ、３６ｂ同士を連結すると、回動時における一対の平行リンク３５ａ、３５ｂの横ぶれが抑えられ、第１の昇降棚２０及び第２の昇降棚２１の開閉動作がスムーズになる。
【００３３】
又、前支持リンク３６ａと後支持リンク３７ａとは、第１の昇降棚２０及び第２の昇降棚２１に取付けられるリンクカバー４９ａで一体的に覆われている。
【００３４】
このように、リンクカバー４９ａが複雑な構造を有する平行リンク３５ａを一体的に覆うことで、平行リンク３５ａが外方へ露出しなくなる。結果として、外観がすっきりし、全体として煩雑に見えていた昇降装置１の見栄えが良くなる。
【００３５】
又、複雑な形状を有する平行リンク３５ａは、直接埃等の汚れが付着すると掃除が困難である。しかしながら、簡易な外側形状を有するリンクカバー４９ａを取付けると、埃等がリンクカバー４９ａに付着し、その除去が容易になる。
【００３６】
そして、このリンクカバー４９ａは、裏カバー体５０ａと、表カバー体５１ａとから構成されている。尚、リンクカバー４９ａの構造や取付け方法については後述する。
【００３７】
又、第１の昇降棚２０には、閉状態を維持するためにロック機構が設けられている。ロック機構は、収納ケース１０の側壁２３ａ、２３ｂの外面にフロントパネル１４側にロックレバー軸３１を介して回動可能に取付けられたロックレバー２９ａ、２９ｂ（図示せず）と、第１の昇降棚２０のフロントパネル１４側にハンドル軸３２を介して回動可能に取付けられ、ロックレバー２９ａ、２９ｂに係合するハンドル３０ａ、３０ｂとよりなる。
【００３８】
これらロックレバー２９ａ、２９ｂ及びハンドル３０ａ、３０ｂの各々の内部には、図示しないバネが仕込まれており、その付勢力により互いの係合を維持している。又、ロックレバー２９ａ、２９ｂは、その下方先端部においてフロントパネル１４側を向く鋭角の返りを有している。ハンドル３０ａ、３０ｂは、その返りに係合するため、返りの形状に沿う溝を備えた菱形ブロック形状を有している。
【００３９】
又、各々のハンドル３０ａ、３０ｂ同士は、幅方向に延びる把持棒３３により連結され、一体的に動作する。閉状態を解除するためには、この把持棒３３を把持してハンドル３０ａ、３０ｂを介して第１の昇降棚２０を前下方に引く。このようにすることで、ロックレバー２９ａ、２９ｂ及びハンドル３０ａ、３０ｂ各々の内部に仕込まれたバネに抗する力が図２の破線矢印方向に働く。そして、ハンドル３０ａ、３０ｂが所定の回動をすると、ロックレバー２９ａ、２９ｂの返りがハンドル３０ａ、３０ｂの溝から外れ、第１の昇降棚２０及び第２の昇降棚２１の開状態への移行が可能となる。閉状態から開状態への移行動作については後述する。尚、把持棒３３は、第１の昇降棚２０及び第２の昇降棚２１の開閉補助機能に加えて、布巾やレードル等を仮掛けできるため、使い勝手が良い。
【００４０】
次に、昇降装置の昇降棚の具体的な動作概要について説明する。
【００４１】
図６は図１の（１）で示した昇降棚が中間的に開いた昇降装置の外観形状を示す一部破断の概略断面図であって、図２に対応するものである。
【００４２】
図を参照して、把持棒３３を把持した状態で、前下方に引くと、先にも述べた通り、ハンドル３０ａとロックレバー２９ａとの係合が解除され、第１の昇降棚２０及び第２の昇降棚２１の開状態への移行が可能となる。そして、前支持リンク３６ａ及び後支持リンク３７ａが、前支持リンク軸４４及び後支持リンク軸４５を中心に回動し、これに連動して第１の昇降棚２０及び第２の昇降棚２１が水平状態を保ち開状態へ移行していく。このため、収納物が傾くことがなく、使用状態が安定する。この状態において、前支持リンク３６ａの長手方向に伸びる前方端面と後支持リンク３７ａの後方端面との距離ｗは、閉状態及び開状態におけるその距離（図示せず）に比較して広がる。したがって、リンクカバー４９ａの幅方向の長さｘは、最も距離ｗが広がった状態の平行リンク３５ａを覆うことができるように設定されている。
【００４３】
図７は図１の（２）で示した開状態の昇降装置の外観形状を示す一部破断の概略断面図であって、図２に対応するものである。
【００４４】
図を参照して、図６で示した状態から更に第１の昇降棚２０及び第２の昇降棚２１を下方側へ移動させると、前支持リンク３６ａ及び後支持リンク３７ａが鉛直下方を向いた時点で、その回動が停止する。この状態において、第１の昇降棚２０は、第２の昇降棚２１の鉛直下方に位置し、この状態が開状態となる。尚、閉状態から開状態の移動範囲は、次に説明するストッパーにより定まる。
【００４５】
次に、ストッパープレート、ストッパー、引きバネ及びダンパーについて説明する。これらの部品は、昇降棚が急速に開閉した場合の衝撃による各部品の破損を防いだり、開閉による昇降棚の壁面への衝突を防いだりする等の機能を有している。
【００４６】
図８は図１に示す収納ケースのサイドカバーを外した昇降装置の外観形状を示す図であり、（１）は図１の（１）のＶＩＩＩ−ＶＩＩＩラインの位置における右側面図であり、（２）は図１の（２）のＶＩＩＩ−ＶＩＩＩラインの位置における右側面図であり、図９は図１の（１）に示す収納ケースのサイドカバーを外した昇降装置の外観形状を示す図であり、ＩＸ−ＩＸラインの位置における左側面図である。
【００４７】
まず図８を参照して、サイドパネル１２ａと取り外されたサイドカバー１３ａとの間には、空間が形成されており、そこには、ストッパープレート７０、ストッパー７１及び引きバネ７２が搭載されている。
【００４８】
ストッパープレート７０は半円板形状を有し、サイドパネル１２ａにプレート中心軸４７を介して回動自在に軸支され、この軸を中心に回動する。又、ストッパープレート７０は、サイドパネル１２ａを挟み、前支持リンク３６ａの後方端部とプレート軸４８ａを介して回動自在に軸支されている。このプレート軸４８ａを介して、前支持リンク３６ａからストッパープレート７０に回転力が伝わる。尚、サイドパネル１２ａには、ストッパープレート７０の回動に連動してプレート軸４８ａを移動させるため、移動軌跡に応じた円弧状の開口１７が設けられている。
【００４９】
又、ストッパープレート７０の回動範囲を規制するためにストッパー７１がサイドパネル１２ａに取付けられている。これにより第１の昇降棚２０及び第２の昇降棚２１は、閉状態では前後方向に、開状態では上下方向に配置され、それ以上の移動が阻止されるよう構成されている。
【００５０】
又、ストッパープレート７０には、引きバネ７２の一方端を掛けるための、第１のバネ掛け７３が設けられている。一方、サイドパネル１２ａのフロントパネル１４側には、引きバネ７２の他方端が掛けられる第２のバネ掛け７４が設けられている。
【００５１】
このような引きバネ７２には、開状態及び閉状態において共に、実線矢印方向（縮み方向）に力が作用する。そして、図８の（２）に示す閉状態において、引きバネ７２によって作用する力の作用線は、ストッパープレート７０の回転中心であるプレート中心軸４７よりも下方に位置するように構成されている。そのため、ストッパープレート７０には図８の（１）で示す破線矢印方向への時計回りの回転力が作用する。この回転力は、閉状態において閉状態を維持する方向に働くため、第１の昇降棚２０及び第２の昇降棚２１は安定状態で維持されると共に、収納に要する力を軽減する。逆に、図８の（２）に示すように、開状態において、引きバネ７２によって作用する力の作用線は、ストッパー７１の回転中心よりも上方に位置するように構成されている。そのため、ストッパープレート７０には図８の（２）で示す破線矢印方向への反時計回りの回転力が作用する。このようにして、第１の昇降棚２０及び第２の昇降棚２１は開状態で安定して維持されると共に、開放に要する力を軽減する。
【００５２】
次に図９を参照して、サイドパネル１２ｂ側のバックパネル１１の前面上方には、前支持リンク３６ｂの回動を制動するためにダンパー６０が設けられている。ダンパー６０による前支持リンク３６ｂの制動は、ダンパー６０に接続されるダンパー駆動軸６３と前支持リンク３６ｂに接続されるプレート軸４８ｂとを、第１のダンパー駆動リンク６１及び第２のダンパー駆動リンク６２を介して接続することにより行う。このように接続することで、前支持リンク３６ｂの動作に応じ、第１のダンパー駆動リンク６１及び第２のダンパー駆動リンク６２が動作し、これによりダンパー駆動軸６３が回動し、その回動がダンパー６０により緩和される。結果として、ダンパー駆動軸６３の回動の元である前支持リンク３６ｂの動作に抵抗を与え、第１の昇降棚２０及び第２の昇降棚２１の開閉時の衝撃を緩和する。
【００５３】
次に、第１の昇降棚に裏カバー体及び表カバー体を取付けるため、第１の昇降棚、裏カバー体及び表カバー体が備える形状について説明する。尚、第２の昇降棚については、第１の昇降棚と基本的に同一構成であるため、形状の説明を省略する。又、昇降棚に、裏カバー体、平行リンク及び表カバー体を取付ける方法について説明する。
【００５４】
図１０は図４等に示されている裏カバー体を第１の昇降棚に設けられた突起体に取付ける方法を模式的に示す概略工程図であり、図１１は図１０で示したＸＩ−ＸＩラインの拡大断面図であり、図１２は図４等に示されている裏カバー体が取付けられた昇降棚に、更に前支持リンク、後支持リンク及び表カバー体を取付ける方法を模式的に示す概略工程図であって、図１０の（３）に続く後工程を示すものである。
【００５５】
尚、図１０から図１２においては、裏カバー体の壁面外縁端より紙面上方に延びる立上げ部及び表カバー体の壁面外縁端より紙面下方に延びる立下げ部は、図の理解を容易とするため、省略している。又、図１１においても、同様の理由により、第１の昇降棚の側壁の断面のみを記載し、他の部品を省略している。更に、同様の理由により、裏カバー体の開口の縁より紙面下方に延びる立下げ部を省略している。
【００５６】
まず、形状について述べる。
【００５７】
図１０の（１）及び図１１の（１）を参照して、第１の昇降棚２０の側壁２３ａには、裏カバー体５０ａを取付けるための円柱状の突起体２６が形成されており、この突起体２６の外方端部には、対向位置に配置され外方に延びる一対の爪片２７ａ、２７ｂが形成されている。更に、この突起体２６の上面には、第１の回動軸３９ａ、３９ｂを取付けるための、開口となる第１の回動軸取付け部分４１ａ、４１ｂが形成されている。
【００５８】
又、裏カバー体５０ａには、この円柱状の突起体２６の側面に摺動自在に嵌合し得る第１の開口５６が一方端に、第２の開口５７が他方端近傍に形成されている。この第１の開口５６には、突起体２６の爪片２７ａ、２７ｂを避けて挿通できるよう、対向位置に一対の切欠５２ａ、５２ｂが形成されている。第２の昇降棚２１のために設けられた第２の開口５７にも同様の切欠（図示せず）が形成されている。
【００５９】
又、裏カバー体５０ａの開状態において上方に位置する一方端には、平面視コの字形状の第１切欠８０が形成される。第１切欠８０は、第１の昇降棚２０及び第２の昇降棚２１の回動時において、裏カバー体５０ａとプレート軸とが接触しないように設けられている。
【００６０】
次に、取付け方法について述べる。
【００６１】
再び図１０の（１）及び図１１の（１）を参照して、第１の昇降棚２０の突起体２６に裏カバー体５０ａを嵌合させるべく、第１の昇降棚２０の側壁２３ａの外面と裏カバー体５０ａの壁面５５とを平行に配置する。そして、突起体２６と第１の開口５６との位置を対応させ、更に、爪片２７ａと切欠５２ａと、及び爪片２７ｂと切欠５２ｂとの位置を対応させるように第１の昇降棚２０を傾ける。次に、図１０の（２）及び図１１の（２）を参照して、裏カバー体５０ａを、平行及び対応する位置関係を保ちながら、突起体２６に嵌合させる。しかしながら、この状態では、第１の昇降棚２０の爪片２７ａ、２７ｂと側壁２３ａとの間に裏カバー体５０ａが配置されていないため、図１０における紙面上方に裏カバー体５０ａを移動させるのみで嵌合が解除されてしまう。
【００６２】
ここで、再び図１１の（１）を参照して、裏カバー体５０ａの壁面５５側の厚みｔは、爪片２７の厚みｌを除いた突起体２６厚みｓ未満に形成されている。そこで、この厚みの関係を利用して、図１０の（３）及び図１１の（３）を参照して、第１の昇降棚２０を図の破線矢印方向に回動させる。こうすることによって、爪片２７ａ、２７ｂと側壁２３ａとの間に裏カバー体５０ａが配置されるため、図１０における紙面上方に裏カバー体５０ａを移動させることによっては、嵌合が解除されない。尚、爪片２７ａ、２７ｂと切欠５２ａとは、平行リンク３５ａの使用時の移動範囲において側面視で重ならない位置に配置される。
【００６３】
このように、突起体２６に爪片２７ａ、２７ｂを形成すると共に、裏カバー体５０ａの第１の開口５６に切欠５２ａ、５２ｂを形成し、両者を嵌合させることで、裏カバー体５０ａは、使用時において側壁２３ａの突起体２６と抜け止め状態となる。したがって、裏カバー体５０ａが不用意に外れることはなく取付け状態の信頼性が向上する。
【００６４】
そして、第１の昇降棚２０と同様の手順で、第２の開口５７を利用して裏カバー体５０ａを第２の昇降棚２１に取付ける。この状態が図１２の（１）で示されている。
【００６５】
図１２の（１）を参照して、前支持リンク３６ａを第１の回動軸取付け部分４１ａ及び第２の回動軸取付け部分４２ａに取付ける。一方、後支持リンク３７を他方の第１の回動軸取付け部分４１ｂ及び第２の回動軸取付け部分４２ｂに取付ける。
【００６６】
次に、図１２の（２）を参照して、裏カバー体５０ａの図示しない立上げ部と、表カバー体５１ａの図示しない立下げ部とを係合させることにより、表カバー体５１ａを取付ける。
【００６７】
尚、表カバー体５１ａの開状態において上方に位置する一方端には、平面視円形状の第２切欠８１が形成され、サイドパネル１２ａに取付けられる前支持リンク軸４４及び後支持リンク軸４５に接触しないように構成されている。
【００６８】
次に、図１２の（３）を参照して、前支持リンク３６ａ及び後支持リンク３７ａを前支持リンク軸４４及び後支持リンク軸４５を介して収納ケース１０に取付けることによって、リンクカバー４９ａの第１の昇降棚２０及び第２の昇降棚２１への取付けが完了する。リンクカバー４９ａは、収納ケース１０への取付け部を除き、平行リンク３５ａを一体的に覆っている。
【００６９】
このように、突起体２６と裏カバー体５０ａとを摺動自在に嵌合させ、更に、平行リンク３５ａ及び表カバー体５１ａを取付けると、裏カバー体５０ａは突起体２６の側面に沿って回動するため、平行リンク３５ａの移動に応じてリンクカバー４９ａはスムーズに追随する。
【００７０】
尚、上記の実施の形態では、リンクカバーの取付けは、その開口を昇降棚の側壁に設けられた円柱状の突起体に係合することによりなされるが、リンクカバーの昇降棚への取付けは他の構造によるものであっても良い。
【００７１】
又、上記の実施の形態では、リンクカバーは、裏カバー体に表カバー体が脱着自在に嵌合することで構成されているが、表カバー体と裏カバー体とは他の構造によるものであっても良い。
【００７２】
更に、上記の実施の形態では、突起体の外方端部に形成された一対の爪片と裏カバー体とが抜け止め構造を構成しているが、抜け止め構造は他の構造によるものであっても良い。
【００７３】
更に、上記の実施の形態では、昇降装置は、第１の昇降棚及び第２の昇降棚の２つの昇降棚を備えているが、収納ケースに収納できるのであれば、昇降棚は２以外の数であっても良い。
【符号の説明】
【００７４】
１…昇降装置
１０…収納ケース
２０…第１の昇降棚
２１…第２の昇降棚
２３…側壁
２６…突起体
２７…爪片
３５…平行リンク
３６…前支持リンク
３７…後支持リンク
４９…リンクカバー
５０…裏カバー体
５１…表カバー体
５２…切欠
５５…壁面
尚、各図中同一符号は同一又は相当部分を示す。
【図１】
2013141489.tif 000003
【図２】
2013141489.tif 000004
【図３】
2013141489.tif 000005
【図４】
2013141489.tif 000006
【図５】
2013141489.tif 000007
【図６】
2013141489.tif 000008
【図７】
2013141489.tif 000009
【図８】
2013141489.tif 000010
【図９】
2013141489.tif 000011
【図１０】
2013141489.tif 000012
【図１１】
2013141489.tif 000013
【図１２】
2013141489.tif 000014